(57)【要約】  薬剤等の商品を内側に収容したＰＴＰシート５８の突出部６０ａが突出した側の面に重ねられ、突出部６０ａが挿通される複数個の孔部１６を有する第１側面１４を有する。ＰＴＰシート５８の反対側の面に重ねられる第２側面２０と、第２側面２０に形成されＰＴＰシート５８に折り重ねられたときに、各突出部６０ａが対向する位置に形成された複数の破断線２４による開口部を有する。第１側面１４または第２側面２０に連続した第３側面３０と、第１側面１４のＰＴＰシート５８の突出部６０ａが突出する側の面に重ねられるジグ取付部である第４側面３４を備える。ジグ取付部３４に取り付けられ、ＰＴＰシート５８の突出部６０ａと対向する押出部４８を有する取り出しジグ４２を備える。
2011121767.tif 000002
【特許請求の範囲】
【請求項１】
商品を内側に収容した複数の突出部と前記突出部の周囲に設けられた平板部を有するプラスチック成形体に、破断可能なシートが取り付けられて前記突出部の開口部が閉鎖されたＰＴＰシートと、前記ＰＴＰシートが取り付けられる台紙が設けられたカード型包装体において、
前記台紙には、前記ＰＴＰシートの前記突出部が突出した側の面に重ねられる第１側面と、前記第１側面に形成され前記突出部が挿通される複数個の孔部と、前記ＰＴＰシートの反対側の面に重ねられる第２側面と、前記第２側面に形成され前記ＰＴＰシートに折り重ねられたときに前記各突出部が対向する位置に形成された複数の開口部と、前記第１側面または前記第２側面に連続し前記第１側面の前記ＰＴＰシートの前記突出部が突出する側の面に重ねられるジグ取付部と、前記ジグ取付部に取り付けられ前記ＰＴＰシートの前記突出部と対向する押出部を有する取り出しジグとが設けられたことを特徴とするカード型包装体。
【請求項２】
前記第一側面と第二側面の間には、前記ＰＴＰシートを保持する固定手段を備えた請求項１記載のカード型包装体。
【請求項３】
前記第１側面または前記第２側面には、前記第１側面の前記ＰＴＰシートの前記突出部が突出する側の面に重ねられる第３側面が連続し、前記第３側面には、前記第１側面に折り返し可能に設けられた前記ジグ取付部である第４側面が、折罫線を介して連続している請求項２記載のカード型包装体。
【請求項４】
前記ＰＴＰシートの前記突出部は仮想直線上に並んで設けられ、前記ジグ取付部には、前記ＰＴＰシートの前記突出部が並ぶ仮想直線上に沿って前記取り出しジグを移動する移動手段が設けられている請求項１記載のカード型包装体。
【請求項５】
前記移動手段は、前記ジグ取付部に設けられた溝部であり、前記取り出しジグは、前記溝部に挿通され前記溝部に沿って摺動可能である請求項４記載のカード型包装体。
【請求項６】
前記取り出しジグは、前記ジグ取付部の前記第１側面に重ねられる側に取り付けられ前記押出部が形成されている本体と、前記ジグ取付部の反対側に取り付けられ前記溝部に一部が挿通されて前記本体に係合する係止部材が設けられ、前記本体と前記係止部材の間には前記ジグ取付部を摺動可能に挟む隙間が設けられ、前記取り出しジグが前記溝部に沿って摺動可能である請求項５記載のカード型包装体。
【請求項７】
前記溝部の一対の側縁部には、前記溝部の内側に突出し前記取り出しジグを係止する係止部が形成され、前記係止部は、前記第１側面の前記孔部に対向する位置に設けられている請求項５記載のカード型包装体。
【請求項８】
前記移動手段は、前記ジグ取付部に取り付けられた紐体であり、前記紐体の途中に前記取り出しジグが摺動可能に取り付けられ、前記取り出しジグは、前記紐体を挿通する紐体溝部と前記紐体溝部に開口された挿通口が形成されている本体と、前記本体の前記挿通口に取り付けられ前記押出部を有し前記紐体溝部を前記紐体が挿通する空間を残して閉鎖する係止部材が設けられ、前記ジグ取付部には、前記第１側面の前記孔部に対向する位置に前記取り出しジグを保持する保持手段が設けられている請求項４記載のカード型包装体。
【請求項９】
前記ジグ取付部は、第１側面の前記孔部に対向する位置に形成された透孔を備え、前記透孔に前記保持手段が設けられている請求項８記載のカード型包装体。
【請求項１０】
前記取り出しジグには、前記保持手段から外すための取り外し用保持部が設けられている請求項８記載のカード型包装体。
【請求項１１】
前記押出部は、前記突出部に向かって突出した突起であり、前記第２側面に設けられている前記開口部は、前記ＰＴＰシートの前記突出部の周囲を囲む形状で切部と切り残し部が交互に設けられた破断線により形成され、所定の位置で切り残し部が破断するように形成されている請求項１記載のカード型包装体。
【発明の詳細な説明】
【技術分野】
【０００１】
この発明は、ＰＴＰシートに台紙を取り付けて包装したカード型包装体に関する。
【背景技術】
【０００２】
従来、錠剤の包装技術としてＰＴＰシートがある。ＰＴＰシートは、合成樹脂等で作られたプラスチック成形体を有し、プラスチック成形体には、錠剤を収容する空間を有した突出部と、突出部の周縁部に形成された平板部が一体に成形されている。ＰＴＰシートは、突出部と反対側の面にアルミ箔などの破断可能なシートが貼り付けられて、突出部の空間が閉鎖され、錠剤を密閉している。錠剤を取り出すときは、指で押し出す方法と、シートをピールする方法がある。指で押し出す方法は、細かな作業が必要であり押し出す際に力が必要であり、力を入れにくいという問題がある。シートをピールする方法も、同様に非常に細かな作業が必要であり、錠剤を取り出しにくいものであった。【０００３】
近年、錠剤やカプセル剤は服用のし易さの観点から製剤の小形化が進み、それに伴って、ＰＴＰシートの突出部が小さくなり、同時に突出部の厚みが増しているため、強い力で押し出さなければならなくなってきている。このため、力の弱い女性や高齢者のみならず、一般の男性にとっても取り出しにくい場合があり、特に高齢者やリウマチの患者など、指先に力が入り難い人にとって、取出しが困難な場合がある。錠剤が取り出しにくくなることは、高齢患者や心身機能の低下した患者にとって、正しい服薬を阻害する要因となり、薬剤使用のコンプライアンスを低下させることに繋がる。また、社会の高齢化に伴い、高齢者が服用しやすい錠剤とともに、高齢者が使用しやすい錠剤の包装がもとめられている。さらに、高齢者のみならず、女性など力のない人、病気により力を入れにくい人、一般の人にとっても使用しやすい包装が求められている。【０００４】
ＰＴＰシートから簡単に錠剤を取り出すことができるものとして、特許文献１に開示されたブリスター包装があった。このブリスター包装は、平板部に突出部を囲むように形成された周辺切り込みが設けられている。開封するときは、平板部を周辺切込みで折り曲げて分割し、外すことで平板部に貼り付けられたシートを剥がして突出部を開封するものである。【０００５】
また、ＰＴＰシートから錠剤を取り出す錠剤取出器も提案されている。例えば、特許文献２に開示されている錠剤取出器や特許文献３に開示されている錠剤のリムーバー、特許文献４に開示されているＰＴＰ包装の錠剤・カプセル取出器は、２個の棒状の本体が一端部で互いに軸止され所定角度で開閉し、一定角度に開くようにバネが設けられているものである。一方の本体の自由端部には、他方の本体へ向かって突出する突起が形成され、他方の部材のこの突起が当接する部分には透孔が形成されている。ＰＴＰシートから錠剤を取り出すときは、ＰＴＰシートの錠剤が収容されている突出部を透孔に一致させ、一対の本体を閉じる。すると突起が突出部を押して錠剤を押し出し、ＰＴＰシートのシートを破断し、透孔を通過して反対側へ錠剤が取り出されるものである。【０００６】
一方、ＰＴＰシートに紙製の台紙を取り付け、この台紙に、錠剤の飲み忘れを防ぐように日付を記入する欄や、錠剤の情報や使用上の注意などを印刷したものがある。このような薬剤包装形態は、ドラッグストアで購入可能な一般薬の包装または、処方箋が必要な医家向けの薬や、コンプライアンスが非常に重要な治験用の薬の包装などで使用されている。例えば特許文献５に開示されているカード型包装体は、一対の厚紙の間にＰＴＰシートを挟んで封止したものであり、台紙にはＰＴＰシートの突出部が嵌入される孔が設けられている。【０００７】
その他、特許文献６に開示されている係止可能容器は、ＰＴＰシートを着脱可能とした保護用の容器であり、ＰＴＰシートを重ねて取り付ける頂部パネルと、ＰＴＰシートを覆って頂部パネルに折り返される底部パネルが設けられているものである。
【先行技術文献】
【特許文献】
【０００８】
【特許文献１】実開平５−６６５号公報
【特許文献２】特開２００２−１４３２７４号公報
【特許文献３】実用新案登録第３０５４８４１号公報
【特許文献４】実用新案登録第３０４５７０１号公報
【特許文献５】特開平１０−５９４１５号公報
【特許文献６】特表２００７−５０９００４号公報（WO2005/054062）
【発明の概要】
【発明が解決しようとする課題】
【０００９】
上記特許文献１の包装体の場合、ＰＴＰシートの平板部からシートを剥がして開封するため、剥がす力が必要であり、力が弱い高齢者や障害者には取り出しにくいものである。特許文献２，３，４に開示された取出器は、簡単に錠剤を取り出すことができるが、錠剤を取出器にセットしなければならず、指先が使いにくい人や力を入れにくい人にとっては使いにくいものである。【００１０】
また、特許文献５の包装体は、台紙に錠剤の飲み忘れを防ぐように日付を記入する欄や、錠剤の情報や使用上の注意などを印刷したものであるが、錠剤を簡単に取り出すことは考えられていないものである。特許文献６の係止可能容器も同様に、錠剤を簡単に取り出すことは考えられていないものである。【００１１】
この発明は、上記背景技術の問題点に鑑みてなされたものであり、錠剤等の商品を簡単に取り出すことができ、錠剤等の商品についての情報や服用管理のための日付等を印刷することができるカード型包装体を提供することを目的とする。
【課題を解決するための手段】
【００１２】
本発明は、薬剤等の商品を内側に収容した複数の突出部と前記突出部の周囲に設けられた平板部を有するプラスチック成形体に、破断可能なシートが取り付けられて前記突出部の開口部が閉鎖されたＰＴＰシートと、前記ＰＴＰシートが取り付けられる台紙が設けられたカード型包装体であって、前記台紙には、前記ＰＴＰシートの前記突出部が突出した側の面に重ねられ前記突出部が挿通される複数個の孔部を備えた第１側面と、前記ＰＴＰシートの反対側の面に重ねられる第２側面と、前記第２側面に形成され前記ＰＴＰシートに折り重ねられたときに前記各突出部が対向する位置に形成された複数の開口部と、前記第１側面または前記第２側面に連続し前記第１側面の前記ＰＴＰシートの前記突出部が突出する側の面に重ねられるジグ取付部と、前記ジグ取付部に取り付けられ前記ＰＴＰシートの前記突出部と対向する押出部を有する取り出しジグとが設けられたことを特徴とするカード型包装体である。【００１３】
前記第一側面と第二側面の間には、前記ＰＴＰシートを保持する固定手段を備えたものである。さらに、前記第１側面または前記第２側面には、前記第１側面の前記ＰＴＰシートの前記突出部が突出する側の面に重ねられる第３側面が連続し、前記第３側面には、前記第１側面に折り返し可能に設けられた前記ジグ取付部である第４側面が、折罫線を介して連続しているものである。【００１４】
前記ＰＴＰシートの前記突出部は、仮想直線上に並んで設けられ、前記ジグ取付部には、前記ＰＴＰシートの前記突出部が並ぶ仮想直線上に沿って前記取り出しジグを移動する移動手段が設けられているものである。【００１５】
前記移動手段は、前記ジグ取付部に設けられた溝部であり、前記取り出しジグは、前記溝部に挿通され前記溝部に沿って摺動可能である。【００１６】
さらに、前記取り出しジグは、前記ジグ取付部の前記第１側面に重ねられる側に取り付けられ前記押出部が形成されている本体と、前記ジグ取付部の反対側に取り付けられ前記溝部に一部が挿通されて前記本体に係合する係止部材が設けられ、前記本体と前記係止部材の間には前記ジグ取付部を摺動可能に挟む隙間が設けられ、前記取り出しジグが前記溝部に沿って摺動可能なものである。【００１７】
前記溝部の一対の側縁部には、前記溝部の内側に突出し前記取り出しジグを係止する係止部が形成され、前記係止部は、前記第１側面の前記孔部に対向する位置に設けられているものである。【００１８】
また、前記移動手段は、前記ジグ取付部に取り付けられた紐体であり、前記紐体の途中に前記取り出しジグが摺動可能に取り付けられ、前記取り出しジグは、前記紐体を挿通する紐体溝部と前記紐体溝部に開口された挿通口が形成されている本体と、前記本体の前記挿通口に取り付けられ前記押出部を有し前記紐体溝部を前記紐体が挿通する空間を残して閉鎖する係止部材が設けられ、前記ジグ取付部には、前記第１側面の前記孔部に対向する位置に前記取り出しジグを保持する保持手段が設けられているものである。【００１９】
前記ジグ取付部は、第１側面の前記孔部に対向する位置に形成された透孔を備え、前記透孔に前記保持手段が設けられているものである。さらに、前記取り出しジグには、前記保持手段から外すための取り外し用保持部が設けられているものである。【００２０】
前記押出部は、前記突出部に向かって突出した突起であり、前記第２側面に設けられている前記開口部は、前記ＰＴＰシートの前記突出部の周囲を囲む形状で切部と切り残し部が交互に設けられた破断線により形成され、所定の位置で切り残し部が破断するように形成されている
ものである。
【発明の効果】
【００２１】
本発明のカード型包装体は、力が弱い人でも簡単に、ＰＴＰシート内に収容されている錠剤等の商品を取り出すことができる。また、商品が錠剤等の薬剤である場合、その薬剤についての情報や、服用管理のための日付や服用回数等を詳しく印刷し、服用回数の記録を明示することにより、その薬剤使用のコンプライアンスの向上を図ることができる。さらに、小形の取り出しジグが一体に設けられているため、コンパクトで携帯することができ、どんな場所でも簡単な操作で錠剤等の商品を取り出すことができる。
【図面の簡単な説明】
【００２２】
【図１】この発明の第一実施形態のカード型包装体の台紙を開いた状態を示す正面図である。
【図２】この発明の第一実施形態のカード型包装体の台紙の展開図である。
【図３】この発明の第一実施形態の取り出しジグの本体の斜視図である。
【図４】この発明の第一実施形態の取り出しジグの係止部材の斜視図である。
【図５】この発明の第一実施形態のカード型包装体の台紙を閉じて錠剤を押し出す状態を示す部分縦断面図である。
【図６】この発明の第二実施形態のカード型包装体の台紙を開いた状態を示す正面図である。
【図７】この発明の第二実施形態のカード型包装体の台紙の展開図である。
【図８】この発明の第二実施形態の取り出しジグの本体の斜視図である。
【図９】この発明の第二実施形態の取り出しジグの係止部材の斜視図である。
【図１０】この発明の第二実施形態のカード型包装体の台紙を閉じて錠剤を押し出す状態を示す部分縦断面図である。
【図１１】この発明の第二実施形態の取り出しジグの本体の変形例を示す斜視図である。
【図１２】この発明の第二実施形態の取り出しジグの係止部材の変形例を示す斜視図である。
【図１３】この発明の第二実施形態の取り出しジグの変形例を示すもので、カード型包装体の台紙を閉じて錠剤を押し出す状態を示す部分縦断面図である。
【発明を実施するための形態】
【００２３】
以下、この発明の実施形態について図面に基づいて説明する。図１〜図５はこの発明の第一実施形態を示すもので、この実施形態のカード型包装体１０は、紙製等の一枚のブランクシートを打ち抜いて形成された台紙１２が設けられている。台紙１２は、厚み２００μｍ〜８００μｍのものが適するが、その他の厚みも用途により使用可能である。また商品である薬剤の用途や種類により、紙以外の合成樹脂や合成紙、金属も使用可能である。
【００２４】
図２は、台紙１２を裏面１２ａから見た展開図である。台紙１２は、一方向に長い矩形の第１側面１４が設けられ、第１側面１４には後述するＰＴＰシート５８の突出部６０ａを入れる孔部１６が形成されている。孔部１６は、第１側面１４の長手方向の側縁部に平行に２列に形成され、この実施形態では各５個、計１０個が設けられている。各孔部１６は円形に形成され、第１側面１４の表面１２ｂには、使用方法を示す文字や、孔部１６の周囲に付けた番号等の印刷部１８が設けられている。
【００２５】
第１側面１４の、長手方向の一方の側縁部には、第１側面１４とほぼ同形の第２側面２０が折罫線２２で区切られて設けられている。第２側面２０には、折罫線２２で折り返して第１側面１４に重ねられたときに孔部１６と対向する位置に、１０個の開口部を形成する破断線２４が設けられている。破断線２４は、孔部１６の円周に沿う円形に形成され、切部と切り残し部が交互に設けられて形成されている。
【００２６】
第２側面２０の、折罫線２２と反対側の側縁部には、マチ部２６が折罫線２８で区切られて設けられている。マチ部２６は、折罫線２８から所定幅で側方へ突出する細長い矩形であり、その幅は後述するＰＴＰシート５８の突出部６０ａの高さとほぼ等しい。
【００２７】
マチ部２６の、折罫線２８と反対側の側縁部には、第３側面３０が折罫線３２で区切られて設けられている。第３側面３０は、第１側面１４及び第２側面２０とほぼ同形であり、第３側面３０の表面１２ｂは、カード型包装体１０の組立状態で外側面となり、薬剤名やメーカー名等が印刷されている。
【００２８】
第３側面３０の折罫線３２と反対側の側縁部には、第３側面３０とほぼ同形の第４側面３４が、折罫線３６で区切られて設けられている。第４側面３４には、後述する取り出しジグ４２を移動可能に係止しガイドする移動手段である溝部３８が設けられている。溝部３８は、折罫線３６に対して平行な一対の直線と、一対の直線の一方の端部どうしを連結したＵ字形の曲線部が一本につなげられて設けられている。溝部３８は、カード型包装体１０の組み立て状態で、第１側面１４の孔部１６と対面する形状となっている。溝部３８の両側縁部には、溝部３８の内側に突出した係止部４０が形成されている。係止部４０は、第１側面１４の孔部１６の中心付近に対向する位置に設けられている。連結されていない端部は、折罫線３６から離れた直線の端部が少し長く形成されている。第４側面３４の表面１２ｂには、第１側面１４の孔部１６近傍に印刷された番号に対応する数字の印刷部１８が設けられている。
【００２９】
第４側面３４の溝部３８には、後述するＰＴＰシート５８の突出部６０ａを押す取り出しジグ４２が取り付けられている。取り出しジグ４２は、ＰＰ等の合成樹脂で成形されたものであり、図３に示す本体４４と、図４に示す係止部材４６が設けられている。本体４４は、例えば所定の厚みで八角形の平たい花のように形成されている。本体４４の上面４４ａには、円柱形の押出部４８が上方に突出して形成されている。本体４４の上面４４ａと反対の下面４４ｂには、係止部材４６が嵌合される円筒形の凹部５０が形成されている。係止部材４６は、凹部５０に嵌合される円柱部５２と、円柱部５２の一方の端部に円柱部５２の突出方向に対して直角に位置する円板状の係止部５４が、一体に形成されている。係止部材４６の円柱部５２は、本体４４の凹部５０に嵌合されて係合され、そのとき本体４４との間にわずかな隙間が生じる。
【００３０】
次に、台紙１２に挟むＰＴＰシート５８について説明する。ＰＴＰシート５８は、プラスチック成形体６０を有し、図５に示すように、プラスチック成形体６０には、錠剤６２を内側に収容する突出部６０ａと、突出部６０ａの周縁部の平板部６０ｂが設けられている。プラスチック成形体６０の材料は、ＰＰ、ＰＶＣ、ＰＥＴ、ＰＶＣ／ＰＶＤＣ、ＰＶＣ／三フッ化塩化エチレンである。また、アルミやアルミラミネート材等の包装材を用いても良い。
【００３１】
平板部６０ｂには、突出部６０ａの突出方向と反対の面に薄いアルミ箔、樹脂シート等の破断可能なシート６４が貼り付けられて突出部６０ａの開口部が閉鎖され、錠剤６２を密閉している。一枚のＰＴＰシート５８には１０個の突出部６０ａが設けられ、突出部６０ａは、第１側面１４と第２側面２０を区切る折罫線２２に対して平行に５個が等間隔に並んだ列が２列、合計１０個が設けられている。ＰＴＰシート５８は、台紙１２の第１側面１４よりも小さい矩形であり、突出部６０ａは、孔部１６に対向する位置に設けられ、孔部１６に差し込まれる大きさに形成されている。
【００３２】
次に、この実施形態のカード型包装体１０の組み立て方法について説明する。なお、ここでは図２が台紙１２の裏面１２ａを見たものであり、台紙１２の裏面１２ａが凸になる折り方を逆折り、そして表面１２ｂが凸になる折り方を正折りと称する。まず、第１側面１４の裏面１２ａに、周縁部を一周して固定手段である図示しない接着剤を塗布し、ＰＴＰシート５８を貼り付ける。このとき、ＰＴＰシート５８のプラスチック成形体６０が第１側面１４に当接する方向に重ね、突出部６０ａを孔部１６に挿通させ、表面１２ｂ側へ突出させる。次に、第１側面１４を折罫線２２で正折りし、第２側面２０の裏面１２ａに接着剤により接着する。接着剤は、第１側面１４に塗布するときに、ＰＴＰシート５８よりも広く塗布すると、ＰＴＰシート５８の周囲にも位置し、第２側面２０に接着することができる。
【００３３】
次に、第４側面３４に取り出しジグ４２を取り付ける。第４側面３４の溝部３８に、表面１２ｂから本体４４の下面４４ｂを溝部３８に対向させて当て、表面１２ｂから係止部材４６を溝部３８に対面させ、円柱部５２を溝部３８に差し込む。係止部材４６は、溝部３８に露出する本体４４の凹部５０に円柱部５２が嵌合されて、第４側面３４に係止される。係止部材４６の係止部５４と、本体４４の下面４４ｂの間に生じる隙間には、台紙１２がゆとりを有して挟持される。
【００３４】
このように取り出しジグ４２を取り付けた後、第３側面３０の裏面１２ａに図示しない接着剤を塗布し、第４側面３４を折罫線３６で正折りし、第３側面３０の裏面１２ａに第４側面３４が接着され、カード型包装体１０が組み立てられる。カード型包装体１０を携帯したり保管する際は、折罫線２８，３２を各々９０°に正折りし、第１側面１４と第４側面３４を合掌状態として、カード型包装体１０を二つ折りしてコンパクトにする。このとき、第２側面２０と第３側面３０の表面１２ｂが外側に位置し、第２側面２０と第３側面３０の表面１２ｂに印刷された薬剤名やメーカー名が視認可能となる。
【００３５】
カード型包装体１０から錠剤６２を取り出すときは、１回目は溝部３８に沿って取り出しジグ４２を移動させて「１」という印刷部１８に合わせ、溝部３８の係止部４０に係止させる。そして、マチ部２６を中心として台紙１２を二つ折りにして、図５に示すように互いに押し付ける。すると、取り出しジグ４２の押出部４８がＰＴＰシート５８の突出部６０ａを押し、錠剤６２が押し出されて、ＰＴＰシート５８のシート６４と第２側面２０の破断線２４が切断されて、錠剤６２が第２側面２０側から取り出される。次の服用時に錠剤６２を取り出すときは、取り出しジグ４２を溝部３８に沿って「２」という印刷部１８に合わせ、同様の手順で錠剤６２を取り出す。
【００３６】
この実施形態のカード型包装体１０によれば、簡単構成で弱い力でも容易に、収納されている錠剤６２を取り出すことができ、以下のような作用効果を奏する。
【００３７】
取り出しジグ４２が一体に取り付けられているため、取り出し操作が簡単であり、指先を使わずに手のひらや肘、拳、その他腕の一部などを使って第１側面１４と第４側面３４を押し付けることで錠剤６２を取り出すことができる。リウマチや脳血管障害の患者や高齢者でも簡単に錠剤６２を取り出すことができる。なお、一般の健常者にも便利なものである。また、台紙１２を開いた状態にして、ＰＴＰシート５８の突出部６０ａを指で押して、従来のＰＴＰシート５８のように錠剤６２を取り出すこともできる。さらに、取り出しジグ４２は、溝部３８の係止部４０に位置決めされるため、取り出す錠剤６２を印刷部１８の数字を見ながら選び、正確に取り出すことができる。錠剤６２は、第２側面２０の破断線２４を切断して取り出されるため、服用した痕跡が残り、服用管理を正確に行うことができる。
【００３８】
これにより、高齢者や心身機能の低下した患者などの誤飲・誤用の防止、医療機関の服薬指導の高質化に効果がある。このように、カード型包装体１０は錠剤６２が容易に取り出すことができるとともに、服用の方法、注意、記録を明示することにより、薬剤服用のコンプライアンスの向上を図ることができる。
【００３９】
取り出しジグ４２は、図５に示すように、確実に第４側面３４に係止されるため輸送中等に不用意に外れることがない。しかし廃棄するときは、取り出しジグ４２の、本体４４と係止部材４６を外して、台紙１２と分別廃棄することができる。
【００４０】
またその場合ＰＴＰシート５８と台紙１２も、台紙１２を破るなどして分別廃棄することが出来る。このような分別廃棄が求められる場合には、台紙１２にミシン目を入れておいて台紙１２のミシン目で破くとＰＴＰシート５８が簡単に台紙１２から取りはずれるような構造にしても良い。
【００４１】
また、取り出しジグ４２を、図１に示す位置のように、孔部１６に対向しない位置にセットしておくと、誤って錠剤６２が取り出されることがなく、また取り出しジグ４２をあらかじめ溝部３８から外しておいても錠剤６２の不用意な取り出しを防ぐことができる。これにより小児が誤って錠剤６２を取り出して服用してしまう誤飲事故を防止する対策を取ることができる。また、カード型包装体１０の組立工程では、簡単に取り出しジグ４２を取り付けることができ、製造効率が良い。
【００４２】
取り出しジグ４２はコンパクトでかさばらないものであり、カード型包装体１０を小形にして携帯することができ、どんな場所でも簡単な操作で錠剤６２を取り出して服用することができる。取り出しジグ４２はコンパクトであるが、錠剤６２を押し出すときは二つ折りした台紙１２を押せばよいため、細かい操作が不用である。
【００４３】
台紙１２の破断線２４は、切断部と切り残し部が交互に設けられて形成されているため、錠剤６２を取り出すときに、切り残し部を切断するための抵抗があり、錠剤６２を上向きや下向きに押し出した際に、押し出した錠剤６２が勢い良く飛び出すことを防ぐことができる。破断線２４の切断部と切り残し部の割合を変化させることにより、錠剤６２を押し出す時の抵抗を変えて出しやすさを調整することができる。切り残し部の割合を所定の位置で変えることにより、切り残し部の少ない位置で破断線２４が破断し、破断した側に錠剤６２が落ちるので、錠剤６２の取り出し方向を任意に設定することができる。
【００４４】
台紙１２には、印刷するスペースが広く設けられ、錠剤６２についての情報を詳しく印刷し、消費者に強い印象を与えることができる。用法用量や薬剤情報など必要な情報を消費者がわかり易いような表示で記載することができ、錠剤６２を押し出す方法についてもイラストで記載し、色分けするなどしてわかり易くすることができる。
【００４５】
台紙１２を閉じた状態で袋に入れたり、テープで止めたり、粘着材でとめて広がらないようにして、販売店で吊下げて販売することができる。さらに、ポケットに入る大きさとして持ち歩くことも容易にできる。
【００４６】
また、台紙１２の透孔１６や破断線２４、溝部３８等が、市場で一般に多く用いられているＰＴＰシート５８に適用可能に形成されているので、ＰＴＰシート５８は、突出部６０ａが直線状に並んだ既存の形態のものを使用することができ、突出部６０ａを特別な配置にする必要がない。
【００４７】
次にこの発明のカード型包装体の第二実施形態について、図６〜図１３を基にして説明する。ここで、上記実施形態と同様の部材は同一の符号を付して説明を省略する。この実施形態のカード型包装体６６は、紙製等の一枚のブランクシートを打ち抜いて形成された台紙１２が設けられている。
【００４８】
図７は台紙１２を裏面１２ａから見た展開図であり、台紙１２は、一方向に長い矩形の第１側面１４が設けられている。第１側面１４には後述するＰＴＰシート５８の突出部６０ａを入れる孔部１６が、１０個設けられている。第１側面１４の表面１２ｂには番号等の印刷部１８が設けられている。
【００４９】
第１側面１４には、第１側面１４とほぼ同形の第２側面２０が折罫線２２で区切られて設けられている。第２側面２０には、折罫線２２で折り返して第１側面１４に重ねられたときに孔部１６と対向する位置に１０個の開口部を形成する破断線２４が設けられている。第２側面２０の、折罫線２２と反対側の側縁部には、マチ部２６が折罫線２８で区切られて設けられている。
【００５０】
マチ部２６の、折罫線２８と反対側の側縁部には、第３側面３０が折罫線３２で区切られて設けられている。第３側面３０は、第１側面１４及び第２側面２０とほぼ同形であり、第３側面３０の表面１２ｂは、カード型包装体１０の組立状態で外側面となり、薬剤名やメーカー名等が印刷されている。
【００５１】
第３側面３０の折罫線３２と反対側の側縁部には、第３側面３０とほぼ同形の第４側面６８が、折罫線７０で区切られて設けられている。第４側面６８には、透孔７２が１１個形成されている。透孔７２は、カード型包装体６６の組み立て状態で第１側面１４の孔部１６に対向する位置に設けられた２列に各５個並べられた１０個と、２列の中心線を一方に延長した位置に形成された１個が設けられている。
【００５２】
第４側面６８の、折罫線７０に交差する一対の端部７４には、折罫線７０に対して平行な短い切断線７６が形成されている。切断線７６には、後述する取り出しジグ８０を移動可能に係止しガイドする移動手段である紐体７８が取り付けられている。紐体７８は第４側面６８の表面１２ｂに張られ、両端部が一対の切断線７６に差し込まれて固定されている。紐体７８の途中には、ＰＴＰシート５８の突出部６０ａを押す取り出しジグ８０が取り付けられている。
【００５３】
取り出しジグ８０は、ＰＰ等の合成樹脂で一体に成形されたものであり、図８に示す本体８２と、図９に示す係止部材８４が設けられている。本体８２は、例えば所定の厚みで八角形の平たい花のように形成されている。本体８２の中心には、上面８２ａと下面８２ｂを貫通する挿通口８６が形成されている。上面８２ａには、挿通口８６を通過して両側縁部に貫通する紐体溝部８８が形成されている。下面８２ｂには、紐体溝部８８を挟んだ両側部分にテーパー面８９が形成されている。
【００５４】
係止部材８４は、本体８２の挿通口８６に嵌合される円板部９０が設けられ、円板部９０の上面９０ａには、ＰＴＰシート５８の突出部６０ａと対向する円柱形の押出部９２が上方に突出して形成されている。円板部９０の、上面９０ａと反対の下面９０ｂには、本体８２の挿通口８６に挿通されて係止される係止突起９４が形成されている。係止部材８４の係止突起９４が本体８２の挿通口８６に係合されたとき、紐体溝部８８の上方が閉鎖されて、紐体７８が紐体溝部８８に摺動可能に挿通される。
【００５５】
次に、この実施形態のカード型包装体６６の組み立て方法について説明する。まず、第１側面１４の裏面１２ａに粘着性の接着剤を塗布し、ＰＴＰシート５８を貼り付ける。このとき、ＰＴＰシート５８の突出部６０ａを孔部１６に差し込み、表面１２ｂ側へ突出させる。次に、第１側面１４を折罫線２２で正折りし、第２側面２０の裏面１２ａに接着剤により接着される。次に、第４側面６８に取り出しジグ８０を取り付ける。第４側面６８一対の切断線７６に、あらかじめ取り出しジグ８０を取り付けた紐体７８を、一対の切断線７６に両端部を挟んで取り付ける。取り出しジグ８０を取り付けた後、第３側面３０の裏面１２ａに接着剤を塗布し、第４側面６８を折罫線７０で正折りし、第３側面３０の裏面１２ａに接着され、カード型包装体６６が組み立てられる。このとき、第４側面６８の透孔７２からは、第３側面３０と第３側面３０に塗布された接着剤が、取り出しジグ８０の保持手段として一部露出する。
【００５６】
カード型包装体６６から錠剤６２を取り出すときは、１回目は紐体７８に沿って取り出しジグ８０を移動させて「１」という印刷部１８に合わせ、透孔７２に露出した接着剤に粘着させる。そして、マチ部２６を中心として台紙１２を二つ折りにして図１０に示すように互いに押し付ける。すると、取り出しジグ８０の押出部９２がＰＴＰシート５８の突出部６０ａを押し、錠剤６２が押し出されて、ＰＴＰシート５８のシート６４と第２側面２０の破断線２４が切断されて、錠剤６２が取り出される。次の服用時に錠剤６２を取り出すときは、取り出しジグ８０の取り外し用保持部であるテーパー面８９を指で持ち上げて接着剤から剥がし、取り出しジグ８０を紐体７８に沿って「２」という印刷部１８に合わせ、同様の手順で錠剤６２が取り出される。これを順次繰り返す。何回服用したか、第１側面１４の孔部１６をみると明確となる。
【００５７】
この実施形態のカード型包装体６６によれば、上記実施形態と同様の効果を有するとともに、簡単な構成で、安価に提供することができる。取り出しジグ８０は、紐体７８に沿って簡単に移動することができ、操作性が良好である。取り出しジグ８０は、透孔７２に接着剤で簡単に位置決めされ、外すときは取り出しジグ８０を指で持ち上げたり、上面８２ａの周縁部を押すことにより、簡単に外すことができる。
【００５８】
この実施形態のカード型包装体６６の取り出しジグ８０は、図１１、図１２、図１３に示す取り出しジグ９６でもよい。取り出しジグ９６は、図１１に示す本体９８と、図１２に示す係止部材９０が設けられている。本体９８には、上面９８ａと下面９８ｂを貫通する挿通口８６が形成され、上面９８ａには紐体溝部８８が形成されている。本体９８の側周面９８ｃには、紐体溝部８８を挟んだ両側部分に、取り外し用保持部である保持用突部１０２が形成されている。保持用突部１０２は、上面９８ａに面一で側方へ延出するＵ字状の板体である。
【００５９】
この取り出しジグ９６によれば、第４側面６８の透孔７２の接着剤から取り出しジグ９６を外す際に、保持用突部１０２を持ち上げたり、上面９８ａの周縁部を押すことにより、簡単に外すことができ、次の透孔７２への移動が容易であり、指先が不自由な人にも簡単に扱うことができる。
【００６０】
なお、この発明のカード型包装体は、上記各実施形態に限定されるものではなく、収容する錠剤の数は適宜変更可能であり、ＰＴＰシートの突出部の数や位置は自由に変更可能である。また、ＰＴＰシートのプラスチック成形体の素材は自由に選択可能であり、アルミなどでもよい。孔部や取り出しジグの形状、大きさ、色、又は取り出しジグの突起部の形状や、大きさ、色は、錠剤、カプセル、ＰＴＰシートの突出部の形状等に合わせて適宜設定することができる。
【００６１】
取り出しジグを移動可能に係止しガイドする移動手段は、上記以外に自由に選択可能であり、経路もＵ字形やジグザグ以外に、円形や矩形の経路であっても良い。紐体も、帯状のものでも良く、糸や繊維により形成されたもの、またはプラスチック、金属、ゴム製のものでも良く、その断面形状も適宜設定可能であり、材料や構造は問わない。開口部も、破断線により抜き取り可能な開口部の他、始めから打ち抜かれた開口部であっても良い。
【００６２】
取り出しジグの素材は自由であり、適度な成形性と弾力性が備わるものであれば良く、ＰＰ以外の合成樹脂、エンジニアリングプラスチック、紙等も使用可能である。台紙は上記実施形態以外の形状でもよく、各部材の連接する順番も変更可能である。必要な表示量に応じてパネルを増やすこともできる。台紙の素材は、紙以外に、プラスチック、射出成形品、金属等自由に選択することができる。第２側面に設けられた破断線は、円形以外の形状でもよい。第３側面と第４側面にミシン目を施し、廃棄時にはそこから切断して取り出しジグを台紙から分離して分別廃棄可能としてもよい。また、ＰＴＰシートに包装されるものは薬剤に限らず、他の商品でも良い。
【符号の説明】
【００６３】
１０  カード型包装体
１２  台紙
１４  第１側面
１６  孔部
１８  印刷部
２０  第２側面
２４  破断線
２６  マチ部
３０  第３側面
３４  第４側面
３８  溝部
４０  係止部
４２  取り出しジグ
４４  本体
４６  係止部材
４８  押出部  
５８  ＰＴＰシート
６０  プラスチック成形体
６０ａ  突出部
６０ｂ  平板部
６４  アルミ箔
【図１】
2011121767.tif 000003
【図２】
2011121767.tif 000004
【図３】
2011121767.tif 000005
【図４】
2011121767.tif 000006
【図５】
2011121767.tif 000007
【図６】
2011121767.tif 000008
【図７】
2011121767.tif 000009
【図８】
2011121767.tif 000010
【図９】
2011121767.tif 000011
【図１０】
2011121767.tif 000012
【図１１】
2011121767.tif 000013
【図１２】
2011121767.tif 000014
【図１３】
2011121767.tif 000015
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
商品を内側に収容した複数の突出部と前記突出部の周囲に設けられた平板部を有するプラスチック成形体に、破断可能なシートが取り付けられて前記突出部の開口部が閉鎖されたＰＴＰシートと、前記ＰＴＰシートが取り付けられる台紙が設けられたカード型包装体において、
前記台紙には、前記ＰＴＰシートの前記突出部が突出した側の面に重ねられる第１側面と、前記第１側面に形成され前記突出部が挿通される複数個の孔部と、前記ＰＴＰシートの反対側の面に重ねられる第２側面と、前記第２側面に形成され、前記ＰＴＰシートに折り重ねられたときに前記各突出部が対向する位置に形成された複数の開口部と、前記第１側面または前記第２側面に連続し、前記第１側面の前記ＰＴＰシートの前記突出部が突出する側の面に重ねられる第３側面と、前記第３側面に連続し、前記第１側面の前記ＰＴＰシートの前記突出部が突出する側の面に重ねられ、前記第１側面に折り返し可能に設けられた第４側面であるジグ取付部と、前記ジグ取付部に取り付けられ前記ＰＴＰシートの前記突出部と対向する押出部を有する取り出しジグとが設けられたことを特徴とするカード型包装体。
【請求項２】
前記第一側面と第二側面の間には、前記ＰＴＰシートを保持する固定手段を備えた請求項１記載のカード型包装体。
【請求項３】
前記ＰＴＰシートの前記突出部は仮想直線上に並んで設けられ、前記ジグ取付部には、前記ＰＴＰシートの前記突出部が並ぶ仮想直線上に沿って前記取り出しジグを移動する移動手段が設けられている請求項１記載のカード型包装体。
【請求項４】
前記移動手段は、前記ジグ取付部に設けられた溝部であり、前記取り出しジグは、前記溝部に挿通され前記溝部に沿って摺動可能である請求項３記載のカード型包装体。
【請求項５】
前記取り出しジグは、前記ジグ取付部の前記第１側面に重ねられる側に取り付けられ前記押出部が形成されている本体と、前記ジグ取付部の反対側に取り付けられ前記溝部に一部が挿通されて前記本体に係合する係止部材が設けられ、前記本体と前記係止部材の間には前記ジグ取付部を摺動可能に挟む隙間が設けられ、前記取り出しジグが前記溝部に沿って摺動可能である請求項４記載のカード型包装体。
【請求項６】
前記溝部の一対の側縁部には、前記溝部の内側に突出し前記取り出しジグを係止する係止部が形成され、前記係止部は、前記第１側面の前記孔部に対向する位置に設けられている請求項４記載のカード型包装体。
【請求項７】
商品を内側に収容した複数の突出部と前記突出部の周囲に設けられた平板部を有するプラスチック成形体に、破断可能なシートが取り付けられて前記突出部の開口部が閉鎖されたＰＴＰシートと、前記ＰＴＰシートが取り付けられる台紙が設けられたカード型包装体において、
前記台紙には、前記ＰＴＰシートの前記突出部が突出した側の面に重ねられる第１側面と、前記第１側面に形成され前記突出部が挿通される複数個の孔部と、前記ＰＴＰシートの反対側の面に重ねられる第２側面と、前記第２側面に形成され、前記ＰＴＰシートに折り重ねられたときに前記各突出部が対向する位置に形成された複数の開口部と、前記第１側面または前記第２側面に連続し、前記第１側面の前記ＰＴＰシートの前記突出部が突出する側の面に重ねられジグ取付部と、前記ジグ取付部に取り付けられ前記ＰＴＰシートの前記突出部と対向する押出部を有する取り出しジグとを備え、
前記ＰＴＰシートの前記突出部は仮想直線上に並んで設けられ、
前記ジグ取付部には、前記ＰＴＰシートの前記突出部が並ぶ仮想直線上に沿って前記取り出しジグを移動する移動手段が設けられ、
前記移動手段は、前記ジグ取付部に取り付けられた紐体であり、前記紐体の途中に前記取り出しジグが摺動可能に取り付けられ、
前記取り出しジグは、前記紐体を挿通する紐体溝部と前記紐体溝部に開口された挿通口が形成されている本体と、前記本体の前記挿通口に取り付けられ前記押出部を有し前記紐体溝部を前記紐体が挿通する空間を残して閉鎖する係止部材が設けられ、
前記ジグ取付部には、前記第１側面の前記孔部に対向する位置に前記取り出しジグを保持する保持手段が設けられていることを特徴とするカード型包装体。
【請求項８】
前記ジグ取付部は、第１側面の前記孔部に対向する位置に形成された透孔を備え、前記透孔に前記保持手段が設けられている請求項７記載のカード型包装体。
【請求項９】
前記取り出しジグには、前記保持手段から外すための取り外し用保持部が設けられている請求項７記載のカード型包装体。
【請求項１０】
前記押出部は、前記突出部に向かって突出した突起であり、前記第２側面に設けられている前記開口部は、前記ＰＴＰシートの前記突出部の周囲を囲む形状で切部と切り残し部が交互に設けられた破断線により形成され、所定の位置で切り残し部が破断するように形成されている請求項１記載のカード型包装体。
【国際調査報告】
2011121767.tif 000016
2011121767.tif 000017
2011121767.tif 000018